(57)【要約】【課題】処理機能ごとの複数の設定項目の設定を、簡易かつ迅速に、効率よく行える画像処理装置を提供する。【解決手段】設定テーブル５０は、設定項目ごとに書き換えが可能で、かつ保存の要否の選択が可能になっており、設定テーブル５０が表示操作部７上で生成され、表示されている状態で保存の指示がされたときには、保存否が選択された設定項目は空白のままで、かつ保存要が選択された設定項目のみを有効な情報として記憶部５に保存する一方、表示操作部７によって保存された設定テーブル５０の呼出の指示がされ、更に設定テーブル５０が選択、指定されときには、呼び出された設定テーブル５０を、空白の設定項目には基準の設定情報に書き換えて、有効な設定情報として設定する制御処理部１を備えている。【選択図】図１
2009165018.tif 000002
【特許請求の範囲】
【請求項１】
装置の実行可能な処理機能ごとに区分された複数の設定項目をまとめて設定テーブルの形式で保存し、保存した設定テーブルを呼出して、有効な設定情報として使用できるようにした画像処理装置において、
上記設定テーブルは、上記設定項目ごとに書き換えが可能で、かつ保存の要否の選択が可能になっており、
上記設定テーブルが表示操作部上で生成され、表示されている状態で保存の指示がされたときには、保存否が選択された設定項目は空白のままで、かつ保存要が選択された設定項目のみを有効な情報として記憶部に保存する一方、上記表示操作部によって保存された設定テーブルの呼出の指示がされ、更に設定テーブルが選択、指定されときには、呼び出された設定テーブルを、空白の設定項目には基準の設定情報に書き換えて、有効な設定情報として設定する制御処理部を備えたことを特徴とする画像処理装置。
【請求項２】
請求項１において、
上記制御処理部は、上記新たに生成された設定テーブルに対して、上記表示操作部による設定タイトルを付与する操作を受け付けて、登録保存するようにしている画像処理装置。
【請求項３】
請求項１または２について、
上記実行可能な処理機能として、少なくともコピー、ファクシミリ、スキャナ機能を有しており、
上記設定操作部は、上記複数の設定項目を設定できるようにした設定画面を、上記処理機能のそれぞれについて備えている画像処理装置。
【発明の詳細な説明】
【技術分野】
【０００１】
本発明は、装置の実行可能な処理機能ごとに区分された複数の設定項目をまとめて設定テーブルの形式で保存し、保存した設定テーブルを呼出して、有効な設定情報として使用できるようにした画像処理装置の改良に関する。
【背景技術】
【０００２】
従来の画像処理装置には、コピー、ファクシミリ、スキャナなどの機能ごとに区分された設定項目をまとめて設定テーブルとして記憶しておき、必要なときにそのテーブルを呼び出して有効な設定情報として使用できるツール機能を有したものがある（たとえば、特許文献１参照）。
【０００３】
この種のツール機能を利用すれば、設定項目の設定の変更が一括して簡易にできる。さらに複数の設定テーブルを保存できるようにしたものでは、オフィスなどで種々の用途に合わせて複数の設定テーブルを記憶しておけば、用途ごとの設定が簡易に行え、作業効率が向上する。また、複数ユーザごとに個別の設定を記憶させることもでき、利便性は非常に高い。たとえば定例会議における資料のコピー設定が、用紙サイズ「Ｂ４」、拡大・縮小の倍率「１２０％」、濃度「普通」、ソート「ＯＦＦ」と定まっている場合、そのような設定の組み合わせを設定テーブルとして記憶しておけば、その用途でコピーをするときに、その設定テーブルを操作パネルなどから呼び出すことで、瞬時に設定の変更ができる。
【特許文献１】特開２００７−２５９２７８号公報
【発明の開示】
【発明が解決しようとする課題】
【０００４】
しかしながら、上記ツール機能の利用が増えて、保存される設定テーブルの数が多くなると、多数の設定テーブルを表示させた選択メニューの中から、所望のものを選択するのに時間を要することがある。特に、ファクシミリ装置やコピー装置などでは、操作パネルのサイズが小さいため、メニュー画面のページめくりをしなければ所望の設定を呼び出せないこともある。
【０００５】
また、用途やユーザごとの設定項目の組み合わせとしては、たとえば、５項目のうち４項目が共通し、１項目のみが異なるような類似の設定組み合わせがある場合、そのような類似の複数のものを、それぞれ個別の設定テーブルとして記憶することでテーブル数はさらに増加し、ますます設定テーブルの保存、呼出機能が使いづらいものとなるおそれがある。
【０００６】
なお、多数の設定テーブルの中から所望のものを選択しやすくするために、タイトルなどによる検索や並び替えなどの支援機能を準備することも想定できるが、対応したソフトが必要なためコストがかさんで装置が高価なものとなるうえ、ユーザによっては、そのような支援機能を十分に使いこなせず、無駄な機能となってしまうおそれもある。
【０００７】
本発明は、このような問題を考慮して提案されたもので、その目的は、処理機能ごとの複数の設定項目の設定を、簡易かつ迅速に、効率よく行える画像処理装置を提供することにある。
【課題を解決するための手段】
【０００８】
上記目的を達成するために、本発明の画像処理装置は、装置の実行可能な処理機能ごとに区分された複数の設定項目をまとめて設定テーブルの形式で保存し、保存した設定テーブルを呼出して、有効な設定情報として使用できるようにした画像処理装置において、設定テーブルは、設定項目ごとに書き換えが可能で、かつ保存の要否の選択が可能になっており、設定テーブルが表示操作部上で生成され、表示されている状態で保存の指示がされたときには、保存否が選択された設定項目は空白のままで、かつ保存要が選択された設定項目のみを有効な情報として記憶部に保存する一方、表示操作部によって保存された設定テーブルの呼出の指示がされ、更に設定テーブルが選択、指定されときには、呼び出された設定テーブルを、空白の設定項目には基準の設定情報に書き換えて、有効な設定情報として設定する制御処理部を備えたことを特徴とする。
【０００９】
また本発明の他の画像処理装置は、制御処理部が、新たに生成された設定テーブルに対して、表示操作部による設定タイトルを付与する操作を受け付けて、登録保存するようにしている。
【００１０】
さらに、本発明の他の画像処理装置は、実行可能な処理機能として、少なくともコピー、ファクシミリ、スキャナ機能を有しており、設定操作部は、複数の設定項目を設定できるようにした設定画面を、処理機能のそれぞれについて備えている。
【発明の効果】
【００１１】
本発明の画像処理装置によれば、コピー、ファクシミリ、スキャナなどの機能ごとの複数の設定項目のうち保存要と選択した設定項目のみを有効な情報として、呼出による設定が可能な設定テーブルとして保存する構成であるため、設定の変更が迅速に行える。また、この設定テーブルは、複数の設定項目のすべてが有効な情報として保存されるものではないため、設定の雛形（テンプレート）のように使用できる。ユーザは、所望の目的に合致した、あるいは最も類似した設定テーブルを指定すれば、所望の設定の変更を迅速に行える。
【００１２】
さらに、設定テーブルをテンプレートのように使用できるため、それを使用して、そのときの用途に応じた設定の変更を加えれば、すぐに設定の変更を完了できる。そのため、保存されている設定テーブルに類似したものを新たな設定テーブルとして、わざわざ登録しておく必要性は低く、設定テーブルが増えすぎるおそれがない。そのため、ユーザは設定テーブルの選択がしやすくなる。
【００１３】
また、設定テーブルに設定タイトルを付与して保存するようにした画像処理装置では、記憶部内の設定テーブルの分類、整理に利用でき、さらにタイトルによる呼出機能を付加すれば、設定の変更がより短時間に行える。
【発明を実施するための最良の形態】
【００１４】
以下に、本発明の実施の形態について、添付図面を参照しながら説明する。なお以下の実施形態では、画像処理装置として、コピー機能、ファクシミリ機能、スキャナ機能を備えた複合機を示しているが、これには限定されない。
【００１５】
図１は、本発明の一例である画像記録装置（複合機２０）の基本構成を示したブロック図である。
【００１６】
図１において、１はＣＰＵで構成され、以下の各部を制御する制御処理部、２は公衆回線へのネットワーク制御を行うＮＣＵ、３はファクシミリ通信を行うために信号の変調と復調を行うモデム、４は符号化した画像データを一時格納する画像メモリである。また、５は各種データを格納するための記憶部、６は制御プログラムなどを予め格納したＲＯＭ、７は画面の表示とその画面からのタッチ操作が可能な液晶パネルなどで構成された表示操作部である。８は原稿から画データを読み取る読取部、９はファクシミリ受信した画像および読取部８から読み取った画像を所定の記録紙に印字出力する印字出力部である。さらに、この複合機２０はＬＡＮインターフェース部１０を備えており、インターネットに接続したり、読み取った画像データを他の装置へメールを送信したりすることができる構成となっている。
【００１７】
この複合機２０は、読取部８で原稿を読み取って画像データを生成するスキャナ機能と、原稿を読み取って生成した画像データを印字出力部９より出力するコピー機能と、原稿を読み取って生成した画像データを他の装置へ送信するファクシミリ送信機能を有する。また複合機２０は、画像データを受信したときに、受信した画像データを画像メモリ４に蓄積し、順次読み出し復号して、印字出力部１０によって印字出力するファクシミリ受信機能を有する。
【００１８】
また、複合機２０は、これらの実行可能な処理機能ごとに区分された複数の設定項目について、表示操作部７より設定の変更ができるようになっており、さらにそれらの処理機能ごとの複数の設定項目をまとめて、設定テーブル５０の形式で記憶部５に保存できるようになっている。
【００１９】
設定テーブル５０は、コピー用の設定テーブル５１、ファクシミリ用の設定テーブル５２、スキャナ用の設定テーブル５３などのように区分されて保存されている。そして、処理機能ごとに、表示操作部７の操作により、任意の設定テーブル５０の呼出、決定の操作がなされたときには、そのテーブル５０の設定内容が有効な設定情報として装置に設定、登録される。
【００２０】
また、図１に示すように、設定テーブル５１、５２、５３のそれぞれは、複数の用途などに応じて、複数のものを保存できるようになっており、表示操作部７（液晶パネル７１）を操作して液晶パネル７１に複数の設定テーブル５０を表示させ、その中から所望のものを選択できるようになっている。
【００２１】
この設定テーブル５０は、以下に説明するように、複数の設定項目を組み合わせて１つのパターンテーブルとして記憶させたものであるが、すべての設定項目を有効な情報として保存したものではなく、保存要と選択されたもののみの組み合わせとして保存されている。
【００２２】
たとえばコピー機能の場合、設定項目として、記録紙の用紙サイズ、拡大・縮小の倍率、濃度、ソートの要否の４種がある場合に、設定テーブル５１には、記録紙の用紙サイズは「Ｂ４」、拡大・縮小の倍率は「１２０％」のみを有効（有意）な情報として保存させてもよい。つまり、他の濃度、ソートの要否については、空白の情報として保存すればよい。
【００２３】
設定テーブル５０の様式としては、上記４種の設定項目を例に挙げると、設定項目に対応して格納場所の定まった４エリアからなるテーブルでもよいし、保存要とされた設定項目についてのみ設定項目の識別コードと設定内容を対応付けて記憶したテーブルでもよい。したがって、保存の必要のない設定項目については、前者のテーブル様式の場合はその項目について無効（無意）のデータをテーブルに格納すればよく、後者のテーブル様式の場合はその項目をテーブルに含めなければよい。そうすることで、空白の情報として判断することができる。
【００２４】
また本実施例では、後述するように、装置に設定されている複数の設定項目の設定内容を液晶パネル７１に表示させるようにしているため、現在設定中の設定内容をデータとして記憶部５に記憶させるようにすることが望ましい。
【００２５】
ついで、コピー、ファクシミリ、スキャナの各処理機能の設定テーブルの保存および呼出について説明する。
【００２６】
図２、３は、コピー機能用の設定テーブル５１を保存するための操作と動作の流れを説明する画面遷移フロー図（１）、（２）である。また図４は、コピー機能用の設定テーブル５１の呼出、決定のための操作と動作の流れを説明する画面遷移フロー図である。本例では、上記各操作は液晶パネル７１に表示された画面で行われ、図中の１０１〜１０７、１２１〜１２３は、液晶パネル７１の各遷移状態に応じた表示画面を示している。なお、保存、呼出の操作は液晶パネル７１の画面による操作には限定されず、画面の操作と操作スイッチの操作とを組み合わせるようにしてもよい。
【００２７】
本例では、コピー機能の設定項目として、記録紙の用紙サイズ、拡大・縮小の倍率、濃度、ソートの要否の４種があり、画面１０１、１２１のように、これらの設定項目を液晶パネル７１で設定、変更できるようになっている。
【００２８】
まず、設定テーブル５１の保存の操作について図２、３を参照しながら説明する。
【００２９】
液晶パネル７１に表示された設定画面１０１には、複数の設定項目のそれぞれについて設定できるように表形式に表示され、各設定項目の変更は、その表１５０内の項目名１５１に対応した項目内容１５２をタッチ操作することで順次、表示を入れ替えて所望の内容に設定できるようになっている。なお、図中の１５３はこれらの設定項目をまとめて設定テーブル形式で保存するための保存ボタン、１５４は保存された設定テーブルを呼び出すための呼出ボタンである。
【００３０】
たとえば、用紙サイズの場合、画面を呼び出したときには、項目内容１５２にはＡ３、Ａ４、Ｂ４、Ｂ５の複数種のうちのデフォルトである「Ａ４」が表示され、その後、タッチ操作することで他のサイズへの変更ができる。なお、画面サイズが十分に大きいものや、設定項目を個別の画面で設定できるようにしたものでは、選択すべき内容のすべてについて同一画面で指定が可能なように表示させてもよい。
【００３１】
このようなタッチ操作によって、用紙サイズを「Ａ３」に、拡大・縮小の倍率を「１２０％」に、濃度を「濃い」に、ソート要否を「ＯＮ」に設定すれば、画面の表示が画面１０２のようになる。
【００３２】
そしてこの状態で、保存ボタン１５３を操作すれば（画面１０２）、項目名１５１ごとに、保存の要否が選択できる操作ボタン１５５が表示され（画面１０３）、それらを個別に保存の要または否を選択させて、決定ボタン１５６を操作すれば（画面１０４）、設定タイトルの入力画面１０５に移行し、設定タイトル１５７（図中、「設定名」と図示。他図も同様）を入力し決定ボタン１５６を操作すれば（画面１０６）、設定された内容が表示される（画面１０７）。
【００３３】
画面１０７に示すように、画面１０４で保存要（「保存する」）と選択した項目については、その設定内容が表示されるが、保存否（「保存しない」）と選択した項目については、内容が空白（不定、無意）な情報であることを示す表示がなされる。記憶部５にもこの内容の設定テーブル５１が保存される。なお、保存の動作については、図５で後述する。
【００３４】
次に、設定テーブル５１の呼出の操作について図４を参照しながら説明する。
【００３５】
液晶パネル７１に表示された設定画面１２１は、図２、３で示した画面１０１と同様の設定画面であり、その画面で呼出ボタン１５４を操作したときには、コピー機能として記憶部５に保存しているすべての設定テーブル５１が、択一的に選択を可能とした選択画面１２２に表示される。
【００３６】
その選択画面１２２に表示された複数の設定テーブル５１の中から任意のものを選択し、決定ボタン１５６を操作すれば、選択された設定テーブル５１に保存された有効な情報が有効な設定情報として反映される。一方、空白の情報については、呼び出される前に設定されていた設定内容がそのまま基準の設定として引き継がれる。
【００３７】
このように設定された設定情報を、保存ボタン１５６の操作でさらに、新たな設定テーブル５１として保存してもよいし、あるいは同一の設定テーブル５１として変更（上書き）、保存してもよい。
【００３８】
図４の例では、画面１２２で「設定１」の設定テーブル５１が選択されているため、用紙サイズと濃度はその設定テーブル５１にもとづいて有効な設定情報として設定、変更される。一方、拡大・縮小倍率、ソート要否については、呼び出される前の設定内容を示した画面１２１の拡大・縮小倍率「１００％」、ソート要否「ＯＦＦ」が引き継がれる。
【００３９】
なお本例では、設定テーブル５１内の空白の設定項目については、呼出前の内容を基準の設定として引き継ぐようにしているが、記憶部５に保存された他の基準の設定データ（不図示）に書き換えるようにしてもよい。
【００４０】
ついで、図５のフローチャートにもとづいて、保存の決定、呼出の決定の操作がされたときの制御処理部１の動作について説明する。
【００４１】
制御処理部１は、決定の操作がなされたときには、保存の決定の場合は、画面１０４（図２参照）で選択された設定内容を設定テーブル５１として編集し、そのテーブル５１に画面１０６（図３参照）で入力された設定タイトル１５７（図３参照）を付加して記憶部５に保存する（ステップＳ１０１〜１０３）。また、呼出の決定の場合は、選択された設定タイトルの設定テーブル５１から有効な設定情報が記憶された項目の情報を取り出し、基準の設定データから空白の項目情報について取り出し、それらすべての設定情報を有効な設定情報として装置に対し設定する（ステップＳ１０１、Ｓ１０４〜Ｓ１０６）。
【００４２】
以上のように本画像処理装置２０は、複数の設定項目のうち保存要と選択した設定項目のみを有効な情報として、呼出による設定が可能な設定テーブル５１として保存する構成であるため、用途などに応じて、設定の変更が迅速に行える。
【００４３】
また、この設定テーブルは、複数の設定項目のすべてが有効な情報として保存されるものではなく、有効なもののみの組み合わせを記憶できるため、設定の雛形のように使用できる。ユーザは、所望の目的に合致した、あるいは最も類似した設定テーブルを指定すれば、所望の設定の変更を迅速に行える。
【００４４】
さらに、設定テーブルをテンプレートのように使用できるため、それを使用して、そのときの用途に応じた設定の変更を液晶パネル７１で加えれば、すぐに設定の変更を完了できる。そのため、保存されている設定テーブルに類似したものを新たな設定テーブルとして、わざわざ登録しておく必要性は低く、設定テーブルが増えすぎるおそれがない。そのため、ユーザは設定テーブルの選択がしやすくなる。
【００４５】
また、設定テーブル５１を呼び出す際に、設定タイトルによる検索や、設定タイトルのアルファベット、設定日時などによる並べ替え表示により、選択させやすくした構成であってもよい。
【００４６】
ついで、ファクシミリ（送信）機能用の設定テーブル５２の保存、呼出の操作と動作の流れについて、図６、７の画面遷移フロー図（１）、（２）、図８の画面遷移フロー図を参照しながら説明する。なお、保存の決定、呼出の決定の操作がされたときの制御処理部１の動作については、図５と同様であるため図示は割愛する。
【００４７】
ファクシミリ機能用の設定テーブル５２の保存、呼出の操作についても、液晶パネル７１に表示された画面で行われるが、これには限定されない。
【００４８】
本例では、ファクシミリ機能の設定項目として、画質、濃度、時刻指定送信の設定、短縮ダイヤルの設定の４種があり、画面２０１、２２１のように、これらの設定項目を液晶パネル７１で設定、変更できるようになっている。
【００４９】
まず、設定テーブル５２の保存の操作について図６、７を参照しながら説明する。
【００５０】
液晶パネル７１に表示された設定画面２０１には、複数の設定項目のそれぞれについて設定できるように表形式に表示され、各設定項目の変更は、その表２５０内の項目名２５１に対応した項目内容２５２をタッチ操作することで順次、表示を入れ替えて所望の内容に設定できるようになっている。なお、図中の２５３はこれらの設定項目をまとめて設定テーブル形式で保存するための保存ボタン、２５４は保存された設定テーブルを呼び出すための呼出ボタンである。
【００５１】
たとえば、画質の場合、画面を呼び出したときには、項目内容２５２には標準、高画質の複数種のうちのデフォルトの「標準」が表示され、その後、タッチ操作することで他方の画質への変更ができる。なお、選択すべき内容のすべてについて同一画面で指定が可能なように表示させてもよい。
【００５２】
このようなタッチ操作によって、画質を「高画質」に、濃度を「濃い」に、時刻指定送信の設定を「１１／２０  １１：００」に、短縮ダイヤルの設定を「００１」に設定すれば、画面の表示が画面２０２のようになる。
【００５３】
そしてこの状態で、保存ボタン２５３を操作すれば（画面２０２）、項目名２５１ごとに、保存の要否が選択できる操作ボタン２５５が表示され（画面２０３）、それらを個別に保存の要または否を選択させて、決定ボタン２５６を操作すれば（画面２０４）、設定タイトルの入力画面２０５に移行し、設定タイトル２５７を入力し決定ボタン２５６を操作すれば（画面２０６）、設定された内容が表示される（画面２０７）。
【００５４】
画面２０７に示すように、画面２０４で保存要（「保存する」）と選択した項目については、その設定内容が表示されるが、保存否（「保存しない」）と選択した項目については、内容が空白（不定、無意）な情報であることを示す表示がなされる。記憶部５にもこの内容の設定テーブル５２が保存される。
【００５５】
次に、設定テーブル５２の呼出の操作について図８を参照しながら説明する。
【００５６】
液晶パネル７１に表示された設定画面２２１は、図６、７で示した画面２０１と同様の設定画面であり、その画面で呼出ボタン２５４を操作したときには、ファクシミリ機能として記憶部５に保存しているすべての設定テーブル５２が、択一的に選択を可能とした選択画面２２２に表示される。
【００５７】
その選択画面２２２に表示された複数の設定テーブル５２の中から任意のものを選択し、決定ボタン２５６を操作すれば、選択された設定テーブル５２に保存された有効な情報が有効な設定情報として反映される。一方、空白の情報については、呼び出される前に設定されていた設定内容がそのまま基準の設定として引き継がれる。
【００５８】
このように設定された設定情報を、保存ボタン２５６の操作でさらに、新たな設定テーブル５２として保存してもよいし、あるいは同一の設定テーブル５２として変更、保存してもよい。
【００５９】
図７の例では、画面２２２で設定１の設定テーブル５２が選択されているため、画質と時刻指定送信の設定はその設定テーブル５２にもとづいて有効な設定情報として設定、変更される。一方、濃度、短縮ダイヤルについては、呼び出される前の設定内容を示した画面２２１の濃度「普通」、短縮ダイヤル「ＯＦＦ」が引き継がれる。
【００６０】
なお本例では、設定テーブル５２内の空白の設定項目については、呼出前の内容を基準の設定として引き継ぐようにしているが、記憶部５に保存された他の基準の設定データ（不図示）に書き換えるようにしてもよい。
【００６１】
このように、ファクシミリ機能の設定についてもコピー機能と同様の設定テーブル形式で保存、呼出を可能としているので、同様の効果を期待できる。
【００６２】
次に、スキャナ機能用の設定テーブル５３の保存、呼出の操作と動作の流れについて、図９、１０の画面遷移フロー図（１）、（２）、図１１の画面遷移フロー図を参照しながら説明する。なお、保存の決定、呼出の決定の操作がされたときの制御処理部１の動作については、図５と同様であるため図示は割愛する。なお、本例のスキャナ機能については、読取部８で読み取った画像データを他の装置（不図示）へメールで送信する付加機能も有している。
【００６３】
スキャナ機能用の設定テーブル５３の保存、呼出の操作についても、液晶パネル７１に表示された画面で行われるが、これには限定されない。
【００６４】
本例では、ファクシミリ機能の設定項目として、画質、拡大・縮小倍率、濃度、メールアドレスの設定の４種があり、画面３０１、３２１のように、これらの設定項目を液晶パネル７１で設定、変更できるようになっている。
【００６５】
まず、設定テーブル５３の保存の操作について図９、１０を参照しながら説明する。
【００６６】
液晶パネル７１に表示された設定画面３０１には、複数の設定項目のそれぞれについて設定できるように表形式に表示され、各設定項目の変更は、その表３５０内の項目名３５１に対応した項目内容３５２をタッチ操作することで順次、表示を入れ替えて所望の内容に設定できるようになっている。なお、図中の３５３はこれらの設定項目をまとめて設定テーブル形式で保存するための保存ボタン、３５４は保存された設定テーブルを呼び出すための呼出ボタンである。
【００６７】
たとえば、画質の場合、画面を呼び出したときには、項目内容３５２には標準、高画質の複数種のうちのデフォルトの「標準」が表示され、その後、タッチ操作することで他方の画質への変更ができる。なお、選択すべき内容のすべてについて同一画面で指定が可能なように表示させてもよい。
【００６８】
このようなタッチ操作によって、画質を「高画質」に、拡大・縮小の倍率を「１２０％」に、濃度を「濃い」に、メールアドレスの設定を「ａｂｃ＠ａａａ．ｃｏ．ｊｐ」に設定すれば、画面の表示が画面３０２のようになる。
【００６９】
そしてこの状態で、保存ボタン３５３を操作すれば（画面３０２）、項目名３５１ごとに、保存の要否が選択できる操作ボタン３５５が表示され（画面３０３）、それらを個別に保存の要または否を選択させて、決定ボタン３５６を操作すれば（画面３０４）、設定タイトルの入力画面３０５に移行し、設定タイトル３５７を入力し決定ボタン３５６を操作すれば（画面３０６）、設定された内容が表示される（画面３０７）。
【００７０】
画面３０７に示すように、画面３０４で保存要（「保存する」）と選択した項目については、その設定内容が表示されるが、保存否（「保存しない」）と選択した項目については、内容が空白（不定、無意）な情報であることを示す表示がなされる。記憶部５にもこの内容の設定テーブル５３が保存される。
【００７１】
次に、設定テーブル５３の呼出の操作について図１１を参照しながら説明する。
【００７２】
液晶パネル７１に表示された設定画面３２１は、図９、１０で示した画面３０１と同様の設定画面であり、その画面で呼出ボタン３５４を操作したときには、スキャナ機能として記憶部５に保存しているすべての設定テーブル５３が、択一的に選択を可能とした選択画面３２２に表示される。
【００７３】
その選択画面３２２に表示された複数の設定テーブル５３の中から任意のものを選択し、決定ボタン３５６を操作すれば、選択された設定テーブル５３に保存された有効な情報が有効な設定情報として反映される。一方、空白の情報については、呼び出される前に設定されていた設定内容がそのまま基準の設定として引き継がれる。
【００７４】
このように設定された設定情報を、保存ボタン３５６の操作でさらに、新たな設定テーブル５３として保存してもよいし、あるいは同一の設定テーブル５３として変更、保存してもよい。
【００７５】
図１１の例では、画面３２２で設定１の設定テーブル５３が選択されているため、画質とメールアドレスの設定はその設定テーブル５３にもとづいて有効な設定情報として設定、変更される。一方、拡大・縮小の倍率、濃度については、呼び出される前の設定内容を示した画面３２１の拡大・縮小の倍率「１００％」、濃度「普通」が引き継がれる。
【００７６】
なお本例では、設定テーブル５３内の空白の設定項目については、呼出前の内容を基準の設定として引き継ぐようにしているが、記憶部５に保存された他の基準の設定データ（不図示）に書き換えるようにしてもよい。
【００７７】
このように、スキャナ機能の設定についても、コピー機能、ファクシミリ機能と同様の設定テーブル形式で保存、呼出を可能としているので、同様の効果を期待できる。
【００７８】
最後に、設定テーブル５０の設定内容、設定タイトル、保存場所などを変更できるようにした他の実施形態について、図１２、１３の画面遷移フロー図を参照しながら説明する。なお、装置の構成は図１と同様であるため図示を省略する。
【００７９】
本実施形態では、上述した各処理機能ごとの設定テーブル５１、５２、５３を、個人別にフォルダなどの保存場所を特定して保存できるようになっている。
【００８０】
液晶パネル７１に表示された設定画面４０１には、複数の設定項目のそれぞれについて設定できるように表形式に表示され、各設定項目の変更は、その表４５０内の項目名４５１に対応した項目内容４５２をタッチ操作することで順次、表示を入れ替えて所望の内容に設定できるようになっている。ここで、図中の４５３はこれらの設定項目をまとめて設定テーブル形式で保存するための保存ボタン、４５４は保存された設定テーブル５０を呼び出すための呼出ボタン、４５５は保存場所を変更するための変更ボタンである。
【００８１】
この設定画面４０１で変更ボタン４５５を操作すれば、内容、設定タイトル、保存場所を変更する設定テーブル５１の現保存場所を指定させるための画面４０２、４０３が順次表示される。この装置では、上位のフォルダとしてコピー、ファクシミリ、スキャナの処理機能ごとの３種が準備され、それら処理機能ごとの下位のフォルダとしてはユーザ別のフォルダが準備されている。画面４０２では上位のフォルダを選択、決定でき、ついで画面４０３で下位のフォルダを選択、決定できるようになっている。なお、パスをツリー状に表示させて選択できるようにしてもよい。
【００８２】
画面４０３においてユーザを特定して決定ボタン４５６を操作すれば、画面４０４に切り替わり、そのユーザフォルダに保存されている設定テーブル５１のすべてが表示される。その中から所望の設定テーブルを指定して、設定タイトル変更ボタン４５８を操作すれば、変更保存先と設定タイトルを設定するための画面４０５に移行する。ここで、変更の種別としては、この設定内容の変更と、変更保存先を含む設定タイトルの変更とがあり、それらに対応したボタン４５７、４５８が選択可能に画面４０４に表示される。
【００８３】
たとえば、画面４０４で設定タイトルの変更を選択した場合、次の画面４０５で上位のフォルダを選択、決定し、ついで画面４０６で下位のフォルダを選択、決定すれば、設定タイトルの入力画面４０７に移行する。その画面４０７で設定タイトル４５９を入力して決定ボタン４５６を操作すれば、設定フォルダ、設定タイトルを含む設定テーブルの内容が画面４０８に表示される。その画面４０８で決定ボタン４５６を操作すれば、制御処理部１が、その画面４０８に表示されている設定フォルダに、選択された設定テーブルに設定された設定タイトルを付与して記憶部５に保存する。
【００８４】
なお、制御処理部１には、画面からの移動／コピーの選択によって、パスを変更するだけの動作、あるいはもとの設定テーブル５０をそのまま残して設定された保存場所にコピーする動作のいずれかを選択的に動作させるようにしてもよい。
【００８５】
この画像処理装置２０の構成によれば、設定テーブル５０の設定内容、設定タイトルを変更する際には、保存場所を同時に設定できるようしているため、設定テーブル５０の単なる変更のみならず、他のユーザへの移動、再利用なども効率よく行える。
【００８６】
以上の実施形態には、コピー、ファクシミリ、スキャナの各機能の設定について示したが、他の機能たとえばファクシミリ受信機能、プリンタ機能などにも適用が可能であることはいうまでもない。
【図面の簡単な説明】
【００８７】
【図１】本発明の一例である画像処理装置の基本構成を示したブロック図である。
【図２】コピー機能用の設定テーブルを保存するための操作と動作の流れを説明する画面遷移フロー図（１）である。
【図３】同画面遷移フロー図（２）である。
【図４】コピー機能用の設定テーブルの呼出、決定のための操作と動作の流れを説明する画面遷移フロー図である。
【図５】同画像処理装置の基本動作を示すフローチャートである。
【図６】ファクシミリ機能用の設定テーブルを保存するための操作と動作の流れを説明する画面遷移フロー図（１）である。
【図７】同画面遷移フロー図（２）である。
【図８】ファクシミリ機能用の設定テーブルの呼出、決定のための操作と動作の流れを説明する画面遷移フロー図である。
【図９】スキャナ機能用の設定テーブルを保存するための操作と動作の流れを説明する画面遷移フロー図（１）である。
【図１０】同画面遷移フロー図（２）である。
【図１１】スキャナ機能用の設定テーブルの呼出、決定のための操作と動作の流れを説明する画面遷移フロー図である。
【図１２】設定テーブルを変更できるようにした他の実施形態を示す画面遷移フロー図（１）である。
【図１３】同画面遷移フロー図（２）である。
【符号の説明】
【００８８】
２０      画像処理部
１      制御処理部
５      記憶部
５０、５１、５２、５３      設定テーブル
７      表示操作部
７１      液晶パネル
【図１】
2009165018.tif 000003
【図２】
2009165018.tif 000004
【図３】
2009165018.tif 000005
【図４】
2009165018.tif 000006
【図５】
2009165018.tif 000007
【図６】
2009165018.tif 000008
【図７】
2009165018.tif 000009
【図８】
2009165018.tif 000010
【図９】
2009165018.tif 000011
【図１０】
2009165018.tif 000012
【図１１】
2009165018.tif 000013
【図１２】
2009165018.tif 000014
【図１３】
2009165018.tif 000015